(57)【要約】【課題】  プレパンチシートの穴の数と一致しない数の穴が、プレパンチシート以外のシートにあけられてしまうことを制限できる。【解決手段】    シートまたはプレパンチシートを給紙する複数の給紙手段と、いずれかの給紙手段から給紙されるシートにパンチ孔を穿孔するパンチ手段と、いずれかの給紙手段から給紙されるプレパンチシートに穿孔された穴の数を入力する入力手段と、前記パンチ手段から穿孔可能な穴の数を取得する取得手段と、入力された穴の数が取得される穿孔可能な穴の数と一致しているかどうかを判断する判断手段と、入力された穴の数が取得される穿孔可能な穴の数と一致していないと判断した場合、所定の警告を表示する制御手段と、を備えることを特徴とする。【選択図】  図１３
2015074551.tif 000002
【特許請求の範囲】
【請求項１】
シートまたはプレパンチシートを給紙する複数の給紙手段と、
いずれかの給紙手段から給紙されるシートに穿孔処理を行うパンチ手段と、
いずれかの給紙手段から給紙されるプレパンチシートに穿孔された穴の数を入力する入力手段と、
前記パンチ手段で穿孔可能な穴の数を取得する取得手段と、
入力された穴の数が取得される穿孔可能な穴の数と一致しているかどうかを判断する判断手段と、
入力された穴の数が取得される穿孔可能な穴の数と一致していないと判断した場合、所定の警告を表示する制御手段と、
を備えることを特徴とするシート処理装置。
【請求項２】
前記所定の警告は、プレパンチシートの孔位置とシートにパンチされる孔位置とが一致しないことを示すメッセージであることを特徴とする請求項１記載のシート処理装置。
【請求項３】
前記所定の警告は、プレパンチシートの孔位置とシートにパンチされる孔位置とが一致しないことを示すグラフィックスであることを特徴とする請求項１記載のシート処理装置。
【請求項４】
前記プレパンチシートは、タブシートであることを特徴とする請求項１記載のシート処理装置。
【請求項５】
シートまたはプレパンチシートを給紙する複数の給紙手段と、
いずれかの給紙手段から給紙されるシートに穿孔処理を行うパンチ手段と、
いずれかの給紙手段から給紙されるプレパンチシートに穿孔された穴の数を入力する入力手段と、
前記パンチ手段で穿孔可能な穴の数を取得する取得手段と、
前記プレパンチシートを用いたシート処理を行う場合、取得された穴の数に基づいて、入力可能な穴の数を制限する制限手段と、
を備えることを特徴とするシート処理装置。
【請求項６】
シートまたはプレパンチシートを給紙する複数の給紙手段と、
いずれかの給紙手段から給紙されるシートに穿孔処理を行うパンチ手段と、
いずれかの給紙手段から給紙されるプレパンチシートに穿孔された穴の数を入力する入力手段と、
前記シートを給紙する給紙手段に対して穿孔する穴の数を設定する設定手段と、
前記パンチ手段から穿孔可能な穴の数を取得する取得手段と、
前記プレパンチシートを用いたシート処理を行う場合、取得される穴の数と、設定された穴の数とに基づいて、シートを給紙すべきいずれかの給紙手段を選択する選択手段と、
を備えることを特徴とするシート処理装置。
【請求項７】
シートまたはプレパンチシートを給紙する複数の給紙手段と、いずれかの給紙手段から給紙されるシートに穿孔処理を行うパンチ手段と、を備えるシート処理装置の制御方法であって、
いずれかの給紙手段から給紙されるプレパンチシートに穿孔された穴の数を入力する入力工程と、
前記パンチ手段で穿孔可能な穴の数を取得する取得工程と、
入力された穴の数が取得される穿孔可能な穴の数と一致しているかどうかを判断する判断工程と、
入力された穴の数が取得される穿孔可能な穴の数と一致していないと判断した場合、所定の警告を表示する制御工程と、
を備えることを特徴とするシート処理装置の制御方法。
【請求項８】
請求項７に記載のシート処理装置の制御方法をコンピュータに実行させることを特徴とするプログラム。
【発明の詳細な説明】
【技術分野】
【０００１】
本発明は、シート処理装置、シート処理装置の制御方法、及びプログラムに関するものである。
【背景技術】
【０００２】
従来、画像形成装置によって画像が形成されたシートに対して、パンチ処理を実行するシート処理装置がある。このようなシート処理装置では、シートに２個、３個、３０個といった異なる数の穴をあけることができる。
一方、あらかじめファイリング用に穴があけられているプレパンチシートが知られている。
ここで、プレパンチシートに対してパンチ処理が行われると、予め開いていた穴が拡張されてしまい、ファイリングしたときにシートが安定しなくなってしまう。
【０００３】
そこで、プレパンチシートのパンチ穴の数をシート情報としてあらかじめ登録しておき、給紙トレイから給紙されるシートにすでに穴があいていると判定されればパンチ処理を実行しないという技術がある（特許文献１参照）。
【先行技術文献】
【特許文献】
【０００４】
【特許文献１】特開２００１−３１６０３６号公報
【発明の概要】
【発明が解決しようとする課題】
【０００５】
従来の技術では、プレパンチシート以外のシートにパンチ処理を実行し、プレパンチシートにパンチ処理を実行せずに、それぞれのシートを同じ排紙トレイに排紙することができる。
【０００６】
しかしながら、ユーザが、プレパンチシートに予めあけられた穴の数と異なる穴の数を、パンチ処理によってあけるべき穴の数として設定してしまうことが考えられる。その場合、プレパンチシート以外のシートにあけたパンチ穴の数とプレパンチシートにあけた穴の数が一致せず、それぞれのシートの穴の位置がずれてしまう。そのため、それぞれのシートを束ねても、穴がふさがれた状態になってしまい、シートをファイリングすることができない。
【０００７】
本発明は、上記の課題を解決するためになされたものである。本発明の目的は、プレパンチシートの穴の数と一致しない数の穴が、プレパンチシート以外のシートにあけられてしまうことを制限する仕組みを提供することである
【課題を解決するための手段】
【０００８】
上記目的を達成する本発明のシート処理装置は以下に示す構成を備える。
シートまたはプレパンチシートを給紙する複数の給紙手段と、いずれかの給紙手段から給紙されるシートにパンチ孔を穿孔するパンチ手段と、いずれかの給紙手段から給紙されるプレパンチシートに穿孔された穴の数を入力する入力手段と、前記パンチ手段で穿孔可能な穴の数を取得する取得手段と、入力された穴の数が取得される穿孔可能な穴の数と一致しているかどうかを判断する判断手段と、入力された穴の数が取得される穿孔可能な穴の数と一致していないと判断した場合、所定の警告を表示する制御手段と、を備えることを特徴とする。
【発明の効果】
【０００９】
本発明によれば、プレパンチシートの穴の数と一致しない数の穴が、プレパンチシート以外のシートにあけられてしまうことを制限できる。
【図面の簡単な説明】
【００１０】
【図１】シート後処理装置を適用可能な画像形成装置の構成を示すブロック図である。
【図２】図１に示した画像形成装置の内部構造を示す構成図である。
【図３】図１に示した操作部の構成を説明する平面図である。
【図４】図１に示した操作部に表示されるＵＩ画面の一例を示す図である。
【図５】図１に示した操作部に表示されるＵＩ画面の一例を示す図である。
【図６】図１に示した操作部に表示されるＵＩ画面の一例を示す図である。
【図７】図１に示した操作部に表示されるＵＩ画面の一例を示す図である。
【図８】図１に示した操作部に表示されるＵＩ画面の一例を示す図である。
【図９】図１に示した操作部に表示されるＵＩ画面の一例を示す図である。
【図１０】図１に示した操作部に表示されるＵＩ画面の一例を示す図である。
【図１１】図１に示した操作部に表示されるＵＩ画面の一例を示す図である。
【図１２】図１に示した操作部に表示されるＵＩ画面の一例を示す図である。
【図１３】シート処理装置の制御方法を説明するフローチャートである。
【図１４】シート処理装置の制御方法を説明するフローチャートである。
【発明を実施するための形態】
【００１１】
次に本発明を実施するための最良の形態について図面を参照して説明する。
＜システム構成の説明＞
〔第１実施形態〕
図１は、本実施形態を示すシート後処理装置を適用可能な画像形成装置の構成を示すブロック図である。
【００１２】
図１において、１はリーダ部（画像入力装置）で、原稿画像を光学的に読み取り、画像データに変換する。リーダ部１は、原稿を読み取るための機能を持つスキャナユニット１２と、原稿用紙を搬送するための機能を持つ原稿給紙ユニット（ＤＦユニット）１１とで構成される。
【００１３】
２はプリンタ部（画像出力装置）で、シート（用紙、または記録紙ともいう。）を搬送し、その上に画像データを可視画像として印字して装置外に排紙する。プリンタ部２は、複数種類の給紙カセットを持つ給紙ユニット２２と、画像データをシートに転写、定着させる機能を持つマーキングユニット２１から構成されている。さらに印字されたシートを機外へ出力する機能を持つ排紙ユニット２３、パンチ処理、ソート処理を行うフィニッシャ部（フィニッシャユニット）２４とで構成される。制御装置３は、ＣＰＵ３１，画像メモリ３２、不揮発メモリ３４、ＲＡＭ３５、ＲＯＭ３６、操作部３３から構成されている。
【００１４】
制御装置３は、リーダ部１、プリンタ部２と電気的に接続されている。そして、制御装置３内のＣＰＵ３１はリーダ部１を制御して、原稿の画像データを画像メモリ３２に読込み、プリンタ部２を制御して画像メモリ３２内の画像データをシートに出力してコピー機能を提供する。更に不揮発メモリ３４には各種調整値が格納され、ＲＡＭ３５はＣＰＵ３１のワーク領域として使用され、ＲＯＭ３６はＣＰＵ３１の制御プログラムが格納されている。
【００１５】
操作部３３は液晶表示部（ＬＣＤ）と液晶表示部上に張り付けられたタッチパネル入力装置と、複数個のハードキーを有する。タッチパネルまたはハードキーにより入力された信号はＣＰＵ３１に伝えられ、液晶表示部には、本画像形成装置の操作における機能表示や画像データ等を表示する。
【００１６】
図２は、図１に示した画像形成装置（複写機）の内部構造を示す構成図である。
本例に示す画像形成装置は、リーダ部１と、プリンタ部２と、ソータ２３０と、パンチユニット２５０を備えている。ここで、パンチユニット２５０は、ずれかの給紙手段から給紙されるシートに穿孔処理を行う。この際、パンチ穴は、２穴、３穴、４穴のいずれかを選択することができる。なお、パンチユニット２５０は、他の数の穴を開けることができるように構成されていてもよい。また、給紙ユニット２２が備える複数の用紙積載部から給紙するシートに穿孔する穴の数を後述するように設定可能に構成されている。
【００１７】
図２において、リーダ部１は、原稿給送装置１０１、原稿台のガラス面１０２、ランプ１０３、ミラー１０５を有するスキャナユニット１０４、ミラー１０６、ミラー１０７、レンズ１０８、ＣＣＤイメージセンサ部（以下ＣＣＤと略称）１０９を備えている。
【００１８】
プリンタ部２は、露光制御部２０１、ポリゴンミラー２０７、感光体２１１、現像器２１２、転写部２１６、定着部２１７、排紙部２１８、排出ローラ２１９、搬送方向切り替え部材２２０を備えている。さらに、再給紙用用紙積載部２２１、用紙積載部２１４、２１５、２２５、２２６も備えている。
【００１９】
原稿給送装置１０１上に積載された原稿は、１枚ずつ順次原稿台のガラス面１０２上に搬送される。原稿がガラス面１０２の所定位置へ搬送されると、スキャナ部のランプ１０３が点灯し、かつスキャナユニット１０４が移動して原稿を照射する。原稿の反射光は、ミラー１０５、１０６、１０７、レンズ１０８を介してＣＣＤ１０９に入力される。尚、プリンタ部２の詳細については後述する。
【００２０】
また、ソータ２３０は、入口ローラ２３１、搬送パス切替部材２３２、排紙ローラ２３３、縦搬送パス２３４を備えている。さらに、サドルスタッカ２３５、サドル位置決めローラ２３６、サドル突き当てローラ２３７、サドル突き当て部材２３９、サドル位置決め部材２４０、ビン２４１、２４２等も備えている。
【００２１】
次に、上記図２を参照しながらプリンタ部２の構成及び動作について説明する。
【００２２】
プリンタ部２に入力された画像信号は、露光制御部２０１にて変調された光信号に変換されて感光体２１１を照射する。照射光によって感光体２１１上に作られた潜像は、現像器２１２によって現像される。上記現像された像の先端とタイミングを併せて、用紙積載部（給紙口）２１４もしくは用紙積載部２１５より用紙が搬送され、転写部２１６において、上記現像された像が転写される。なお、本実施形態において、用紙積載部には、あらかじめ穿孔されたプレパンチシート（タブシート）や、パンチユニットで穿孔するシートが収容されている。プレパンチ用紙とは、プレパンチシートを意味する。
次に、転写された像は、定着部２１７にてシートに定着された後、排紙部２１８より装置外部に排出される。
【００２３】
排紙部２０８から出力されたシートは、パンチユニット２５０を通り、パンチ機能が働いている場合は、パンチされ、ソータ２３０に渡される。パンチユニット２０５は、１枚のシートに２個の穴を開けるための針と、３個の穴を開けるための針を有しており、パンチユニット２５０を通過するシートに、設定された方の数に対応する針であけるように構成されている。パンチユニット２５０は、画像形成装置に着脱可能であり、異なる数の穴を開けるためのパンチユニットに付け変えることができる。例えば、４個の穴を開けるための針を有するパンチユニットに付け変えることができる。ソータ２３０は、ソート機能が働いている場合には、各ビンに、またはソート機能が働いていない場合には、ソータの最上位のビンにシートを排出する。
【００２４】
続いて、順次読み込む画像を１枚のシートの両面に出力する方法について説明する。定着部２１７で定着されたシートを、一度、排紙部２１８まで搬送した後、シートの搬送向きを反転して搬送方向切り替え部材２２０を介して再給紙用用紙積載部２２１に搬送する。次の原稿が準備されると、上記プロセスと同様にして原稿画像が読み取られるが、シートについては再給紙用用紙積載部２２１より給紙されるので、同一のシートの表面、裏面に２ページの原稿画像を出力することができる。
【００２５】
図３は、図１に示した操作部３３の構成を説明する平面図である。
【００２６】
図３において、６００はＬＣＤタッチパネルで、主なモード設定、状況表示はここで行われる。６０１は０〜９までの数値を入力するためのテンキーである。６０２はＩＤキーで、装置が部門管理されている場合に部門番号と暗証モードを入力する際に使用されるものである。
【００２７】
６０３は設定されたモードをリセットするためのリセットキー、６０４は各モードについての説明画面を表示するためのガイドキー、６０６は割り込みコピーを行うための割り込みキーになっている。６０７はコピー動作をスタートさせるためのスタートキー、６０８は実行中のコピージョブを中止させるためのストップキーである。
６０５はユーザモード画面に入るためのユーザモードキーであり、このユーザモードキー６０５を押下することにより、後述するシートの種類の設定を行う。
【００２８】
６０９はソフト電源ＳＷで、押下することによりＬＣＤ６００のバックライトが消え装置は低電力状態に移行する。６１０は節電キーで、これを押下することで節電状態に入り、再度押下することで節電状態から復帰する。
【００２９】
６１４はＬＣＤタッチパネルのコントラストを調整するための調整キーである。６１５はカウンタ確認キーで、このキーを押下することでそれまでに使用したコピー枚数の集計を表示するカウント画面がＬＣＤ上に表示される。
【００３０】
６１６はジョブの実行中、画像メモリへの画像蓄積中を示すＬＥＤ、６１７がジャム、ドアオープン等装置がエラー状態にあることを示すエラーＬＥＤ、６１８は装置のメインスイッチがＯＮになっていることを示す電源ＬＥＤになっている。
【００３１】
以下、図４〜図８を参照して、シートの情報の設定方法について説明する。なお、図４〜図８の画面を介して設定された内容は、不揮発性メモリ３４に記憶される。
【００３２】
図４〜図８は、図１に示した操作部３３に表示されるＵＩ画面の一例を示す図である。本例では、給紙口１にＢ４サイズ、給紙口２にＡ４サイズ、給紙口３にＡ４サイズ、給紙口４にＡ４サイズのシートが格納されているとする。ここで、給紙口１は用紙積載部２１４、給紙口２は用紙積載部２１５、給紙口３は用紙積載部２２５、給紙口４は用紙積載部２２６にそれぞれ対応している。
【００３３】
ユーザが操作部３３のユーザモードキー６０５を押下すると、図４に示されるユーザモードの設定画面が操作部３３が備えるＬＣＤ６００に表示される。キー７０１は用紙情報の設定を行うキーである。ここで、ユーザがキー７０１を押下すると 図５に示される用紙情報の設定画面７０２がＬＣＤ６００に表示される。
【００３４】
図５に示す用紙情報の設定画面７０２では、給紙口１から給紙口４までのキー７０３があり、それぞれのキーを押下することで、図６に示される用紙情報の詳細／変更画面７０４が表示され、ユーザは各々の給紙口に対する用紙の種類を設定することができる。
【００３５】
このように、図５、図６に示す操作画面上において、ユーザが、各給紙口毎に夫々、用紙情報を設定する操作を予め行っておくことで、画像形成装置は用紙情報を取得し、用紙の種類を各給紙口毎に判別することができる。
【００３６】
図６に示す用紙情報の詳細／変更画面７０４には、用紙の名称、種別、坪量、表面性、特徴、色、パンチ穴数の情報が表示される。用紙の名称、坪量、表面性、特徴、色、パンチ穴数については変更ボタン７０５を押下することでユーザが各設定値を変更することができる。
パンチ穴数の変更ボタン７０５を押下すると、図７に示されるプレパンチ穴数の設定画面７０６が表示される。
プレパンチ穴数の設定画面７０６には、２穴、３穴、および４穴のパンチ穴数の選択キーと、それぞれの穴数のプレパンチ紙を示す画像が表示される。
パンチ穴数の選択キー７０７が押下されると、該当給紙口に対して、４穴のプレパンチ紙という用紙情報が設定し、図８のようにパンチ穴数の選択キー７０７を反転表示する。このように、本実施形態では、給紙ユニット２２の各給紙口に格納された用紙の情報として、用紙の名称や、種別、坪量、などの情報とともに、用紙にあけられた穴の数を登録するようになっている。
【００３７】
以下、図９〜図１３を参照して、コピーのタブ紙挿入機能を使用する際の給紙口選択方法について説明する。なお、図１４に示す警告画面については後述する。
図９〜図１３は、図１に示した操作部３３に表示されるＵＩ画面の一例を示す図である。
図９に示すＵＩ画面は、ＬＣＤ６００に表示されるコピーの設定画面である。
図９に示すコピーの設定画面７１０において、ユーザがその他の機能キー７１１を押下すると、図１０に示されるその他の機能画面７１２がＬＣＤ６００に表示される。
図１０に示すその他の機能画面７１２において、ユーザがタブ紙挿入の設定キー７１３を押下すると、図１１に示されるタブ紙挿入の設定画面７２０がＬＣＤ６００に表示される。
【００３８】
図１１に示すタブ紙挿入の設定画面７２０において、７２１はタブ紙挿入リストであり、ユーザにより設定されたタブ紙挿入設定がリスト表示される。７２２はスクロールキーであり、タブ紙挿入リスト７２１を上方向または下方向にスクロールさせる。
【００３９】
７２３、７２４、７２５はそれぞれタブ紙挿入設定追加キー、タブ紙挿入設定詳細／編集キー、タブ紙挿入設定削除キーである。
タブ紙挿入設定追加キー７２３を押下すると、図１２に示されるタブ紙挿入の詳細／編集画面７３０がＬＣＤ６００に表示される。
【００４０】
図１２に示すタブ紙挿入の詳細／編集画面７３０において、７３２は挿入位置ページ設定キーであり、このキーを押下すると、挿入位置表示部７３１に表示される挿入位置のページ番号が増減する。タブ紙挿入の詳細／編集画面７３０において、７３３から７３６は、給紙口選択キーであり、挿入するタブ紙を給紙する給紙口をこのキーで選択する。
【００４１】
挿入位置を入力し、給紙口を選択した後、ＯＫキー７３８を押下すると、タブ紙挿入の詳細／編集画面７３０が閉じられ、タブ紙挿入の設定画面７２０に戻り、タブ紙挿入リスト７２１にタブ紙挿入設定が新規に追加される。
【００４２】
図１１に示すタブ紙挿入の設定画面７２０において、タブ紙挿入設定詳細／編集キー７２４を押下すると、タブ紙挿入の詳細／編集画面７３０が表示され、タブ紙挿入リスト７２１で選択されているタブ紙挿入設定の詳細が表示される。
【００４３】
また、図１１に示すタブ紙挿入の設定画面７２０において、タブ紙挿入設定削除キー７２５を押下すると、タブ紙挿入リスト７２１で選択されているタブ紙挿入設定が削除される。なお、画像形成装置に接続されたパンチユニット２５０により穿孔可能なパンチ穴の数が２穴と３穴だけである場合、図１２に示すとおり、４穴のプレパンチシートが用紙情報として記憶された給紙口３は選択できない状態となる。図１２に示す例では、給紙口を選択するためのキーがグレーアウトされている。
【００４４】
図１３は、本実施形態を示すシート処理装置の制御方法を説明するフローチャートである。本例は、用紙情報の設定時に、画像形成装置に接続されたパンチユニット２５０で穿孔可能なパンチ穴の数以外の数を有するプレパンチ紙を登録できないように設定画面７０６におけるパンチ穴の数の選択キーの表示を制御する制御例である。なお、各ステップは、ＣＰＵ３１がＲＯＭ３６当に記憶された制御プログラムを実行することにより実現される。また、（Ａ）はプレパンチシートを用いたシート処理を行う場合、取得された穴の数に基づいて、入力可能な穴の数を制限する制御例である。また、（Ｂ）は、ユーザによって選択された穴の数が取得される穿孔可能な穴の数と一致しているかどうかを判断して、一致していないと判断した場合に、所定の警告を表示する制御例である。さらに、本実施形態では、所定の警告として、プレパンチシートの孔位置とシートにパンチされる孔位置とが一致しないことを示すメッセージを表示する。なお、所定の警告は、プレパンチシートの孔位置とシートにパンチされる孔位置とが一致しないことを示すグラフィックスで表示してもよいし、メッセージと組み合わせて表示してもよいい。
ユーザが、ＬＣＤ６００に表示された用紙情報の詳細／変更画面７０４にて、パンチ穴数の変更ボタン７０５を押下すると、ＣＰＵ３１は、パンチ穴数選択子にすべての穴数（ここでは２穴、３穴、および４穴）を入れる（Ｓ１０１）。
【００４５】
続いて、ＣＰＵ３１は、起動時にあらかじめフィニッシャユニット２４から取得しておいたフィニッシャ構成情報を参照し、パンチユニット２５０がフィニッシャユニット２４に装着されているかを判断する（Ｓ１０２）。
【００４６】
ここで、フィニッシャユニット２４にパンチユニット２５０が装着されてないとＣＰＵ３１が判断した場合、ＣＰＵ３１は、パンチ穴数選択子にあるパンチ穴数の選択キーを有効にしてプレパンチ穴数の設定画面７０６を表示する（Ｓ１０５）。
この場合、Ｓ１０１で、パンチ穴数選択子にはすべての穴数（２穴、３穴、４穴）がセットされているので、すべてのパンチ穴数選択キーが有効となる。これは、パンチユニット２５０が接続されていない場合、プレパンチシート以外のシートに対してパンチされることがなく、穴のずれが発生しないためである。なお、パンチユニット２５０が接続されていない場合、全てのパンチ穴数選択キーを無効にしてもよい。
【００４７】
一方、パンチユニット２５０が装着されているとＣＰＵ３１が判断した場合、ＣＰＵ３１は、フィニッシャ構成情報からパンチユニット２５０の穿孔可能穴数を取得し（Ｓ１０３）、パンチ穴数選択子に穿孔可能穴数を代入する（Ｓ１０４）。
パンチユニット２５０の穿孔可能穴数が２穴と３穴であるとすると、パンチ穴数選択子は２穴、３穴となる。
次に、ＣＰＵ３１は、パンチ穴数選択子にあるパンチ穴数の選択キーを有効にし、プレパンチ穴数の設定画面７０６を表示して（Ｓ１０５）、本処理を終了する。
以下、別の方法について、図１３の（Ｂ）に示す処理について説明する。なお、本処理では、図１３の（Ａ）との差異を説明する。本処理は、選択された穴の数が、パンチユニット２５０によって穿孔可能な穴の数と一致しているかどうかを判断し、入力された穴の数が取得される穿孔可能な穴の数と一致していないと判断した場合、所定の警告を表示する処理例である。
Ｓ１１１で、ＣＰＵ３１がプレパンチシートに設定された穴の数がパンチユニットで穿孔可能な穴の数と異なっているかどうかを判断する。ここで、プレパンチシートに設定された穴の数がパンチユニットで穿孔可能な穴の数と異なっているとＣＰＵ３１が判断した場合、ＬＣＤ６００に所定の警告を表示して（Ｓ１１２）、本処理を終了する。
本実施形態によれば、プレパンチシートを用いたシート処理を行う場合、取得されたパンチユニットの穿孔可能な穴の数に基づいて、プレパンチシートに対して入力可能な穴の数を制限することができる。それによって、プレパンチシートと、プレパンチシート以外のシートをまとめて排紙するときに、それぞれのシートの穴の位置が異なることが原因でシートをファイルできなくなることを防ぐことができる。
【００４８】
〔第２実施形態〕
図１４は、本実施形態を示すシート処理装置の制御方法を説明するフローチャートである。本例は、コピーのタブ紙挿入設定時の、タブ紙挿入の詳細／編集画面７３０における給紙口選択キーの表示を制御する例である。なお、各ステップは、ＣＰＵ３１がＲＯＭ３６等に記憶された制御プログラムを実行することにより実現される。以下、プレパンチシートを用いたシート処理を行う場合、取得される穴の数と、設定された穴の数とに基づいて、シートを給紙すべきいずれかの給紙手段を選択する処理を説明する。ここで、給紙手段とは、図２に示した用紙積載部に対応する。
【００４９】
ユーザが、タブ紙挿入の設定画面７２０において、タブ紙挿入設定追加キー７２３を押下すると、ＣＰＵ３１は、フィニッシャ構成情報を参照し、パンチユニット２５０がフィニッシャユニット２４に装着されているかを判断する（Ｓ２０１）。
【００５０】
ここで、フィニッシャユニット２４にパンチユニット２５０が装着されてないとＣＰＵ３１が判断した場合、ＣＰＵ３１は、給紙口選択子にすべての給紙口をセットする（Ｓ２０２）。そして、給紙口選択子にセットされている給紙口の選択キーを有効にして、給紙口選択リストを表示して（Ｓ２１０）、本処理を終了する。
【００５１】
一方、パンチユニット２５０が装着されているとＣＰＵ３１が判断した場合、ＣＰＵ３１は、まず給紙口選択子をクリアし（Ｓ２０３）、ＣＰＵ３１は、フィニッシャ構成情報からパンチユニット２５０が穿孔可能な穴の数を取得する（Ｓ２０４）。
続いて、ＣＰＵ３１は、すべての給紙口について、以下の処理を実行するため、次の給紙口があるかどうかを判断する（Ｓ２０５）。ここで、給紙口がないと判断した場合は、Ｓ２１０へ進む、給紙口があると判断した場合は、Ｓ２０６へ進む。
そして、ＣＰＵ３１は、給紙口に積載されている用紙の用紙情報を取得する（Ｓ２０６）。そして、ＣＰＵ３１は、取得した用紙情報においてパンチ穴数の設定がなされているかどうかを判断する（Ｓ２０７）。ここで、パンチ穴数が設定されていると判断した場合（Ｓ２０７のＹＥＳ）、ＣＰＵ３１は、パンチ穴数がＳ２０４で取得した穿孔可能穴数に含まれているかどうかを判断する（Ｓ２０８）。ここで、パンチ穴数がＳ２０４で取得した穿孔可能穴数に含まれているとＣＰＵ３１が判断した場合（Ｓ２０８のＹＥＳ）、ＣＰＵ３１は、給紙口選択子に当該給紙口を追加して（Ｓ２０９）、Ｓ２０５へ戻る。
【００５２】
一方、Ｓ２０７で、取得した用紙情報においてパンチ穴数の設定がなされていないとＣＰＵ３１が判断した場合、ＣＰＵ３１は、給紙口選択子に当該給紙口を追加する（Ｓ２０９）。
そして、Ｓ２０５で、すべての給紙口について上述の処理が終了したとＣＰＵ３１が判断した場合、ＣＰＵ３１は、給紙口選択子にセットされている給紙口の選択キーを有効にし、給紙口選択リストを表示して（Ｓ２１０）、本処理を終了する。
本実施形態によれば、プレパンチシートを用いたシート処理を行う場合、パンチユニットの仕様情報から取得される穴の数と、ユーザにより設定された穴の数とに基づいて、シートを給紙すべきいずれかの用紙積載部を選択することができる。
【００５３】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００５４】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００５５】
１  リーダ装置
２  プリンタ装置
２２  給紙ユニット
２４  フィニッシャユニット
３  制御装置
３１  ＣＰＵ
３３  操作部
２５０  パンチユニット
【図１】
2015074551.tif 000003
【図２】
2015074551.tif 000004
【図３】
2015074551.tif 000005
【図４】
2015074551.tif 000006
【図５】
2015074551.tif 000007
【図６】
2015074551.tif 000008
【図７】
2015074551.tif 000009
【図８】
2015074551.tif 000010
【図９】
2015074551.tif 000011
【図１０】
2015074551.tif 000012
【図１１】
2015074551.tif 000013
【図１２】
2015074551.tif 000014
【図１３】
2015074551.tif 000015
【図１４】
2015074551.tif 000016